【手続補正書】
【提出日】平成19年5月15日(2007.5.15)
【手続補正１】
【補正対象書類名】明細書
【補正対象項目名】特許請求の範囲
【補正方法】変更
【補正の内容】
【特許請求の範囲】
【請求項１】  １つ又は複数の指向性入力チャネルを有するオーディオ信号処理方法であって、
前記指向性入力チャネルの数と指向性指定要素とを検出するステップと、
複数の選択可能なプロセスの１つによって前記指向性入力チャネルのそれぞれを処理するステップであって、それぞれの指向性入力チャネルに与えられる選択可能なプロセスは所定のパターンに従いユーザが介入することなく前記検出するステップに応答する、ステップと、
を含むオーディオ信号処理方法。
【請求項２】  前記選択可能なプロセスは前記指向性入力チャネルを他の指向性入力チャネルと組み合わせることを含むプロセスを含む、請求項１記載のオーディオ信号処理方法。
【請求項３】  前記プロセスは前記他の指向性入力チャネルを減衰させることを含む、請求項２記載のオーディオ信号処理方法。
【請求項４】  前記選択可能なプロセスは前記他の指向性入力チャネルを位相シフトするプロセスを含む、請求項２記載のオーディオ信号処理方法。
【請求項５】  前記所定のパターンは、前記検出するステップがモノフォニック・サラウンド・チャネルと左チャネル信号と右チャネル信号とを検出するのに応答して、前記左チャネル信号を処理して修正された左チャネル信号を生じ前記右チャネル信号を処理して修正された右チャネル信号を生じることを含む選択可能なプロセスを含む、請求項１記載のオーディオ信号処理方法。
【請求項６】  前記修正された左チャネル信号と前記修正された右チャネル信号とはサラウンド・チャネル成分を含み、前記左チャネルのサラウンド・チャネル成分と前記右チャネルのサラウンド・チャネル成分とは位相がずれている、請求項５記載のオーディオ信号処理方法。
【請求項７】  前記処理するステップはある数の出力指向性チャネルを生じ、出力指向性チャネルの数と指向性指定要素とは所定のパターンに従い前記検出するステップに応答する、請求項１記載のオーディオ信号処理方法。
【請求項８】  １つ又は複数の指向性入力チャネルを有するオーディオ信号処理方法であって、
前記指向性入力チャネルの数と指向性指定要素とを検出するステップと、
前記指向性入力チャネルを処理して代替的に選択可能な数の出力指向性チャネルを生じるステップであって、出力指向性チャネルの前記代替的に選択可能な数と内容とは、所定のパターンに従いユーザが介入することなく前記検出するステップに応答する、ステップと、
を含むオーディオ信号処理方法。
【請求項９】  前記代替的に選択可能な数は指向性入力チャネルの数以上の数だけを含む、請求項８記載のオーディオ信号処理方法。
【請求項１０】  入力チャネルの前記数は１から５までの数であり、前記代替的に選択可能な数は４及び５を含む、請求項８記載のオーディオ信号処理方法。
【請求項１１】  オーディオ信号処理方法であって、
前記オーディオ信号がアナログ信号であるかデジタル信号であるかを判断するステップと、
前記信号がアナログ信号であるという判断に応答して、前記信号を復号化して左チャネル、右チャネル、中央チャネル、左サラウンド・チャネル及び右サラウンド・チャネルを生じさせるステップと、
前記オーディオ信号がデジタル信号であるという判断に応答して、前記オーディオ信号の中の指向性入力チャネルの数と指向性指定要素とを検出するステップと、
前記指向性入力チャネルのそれぞれを複数の選択可能なプロセスの１つによって処理するステップであって、それぞれの指向性入力チャネルに与えられる前記選択可能なプロセスは、所定のパターンに従いユーザが介入することなく前記検出するステップに応答する、ステップと、
を含むオーディオ信号処理方法。
【請求項１２】  前記選択可能なプロセスは前記指向性入力チャネルを他の指向性入力チャネルと組み合わせることを含むプロセスを含む、請求項１１記載のオーディオ信号処理方法。
【請求項１３】  前記プロセスは前記他の指向性入力チャネルを減衰させることを含む、請求項１２記載のオーディオ信号処理方法。
【請求項１４】  前記選択可能なプロセスは他の指向性入力チャネルを位相シフトしそれと組み合わせるプロセスを含む、請求項１１記載のオーディオ信号処理方法。
【請求項１５】  前記所定のパターンは、前記検出するステップがモノフォニック・サラウンド・チャネルと左チャネル信号と右チャネル信号とを検出するのに応答して、前記左チャネル信号を処理して修正された左チャネル信号を生じ前記右チャネル信号を処理して修正された右チャネル信号を生じることを含む選択可能なプロセスを含む、請求項１１記載のオーディオ信号処理方法。
【請求項１６】  前記修正された左チャネル信号と前記修正された右チャネル信号とはサラウンド・チャネル成分を含み、前記左チャネルのサラウンド・チャネル成分と前記右チャネルのサラウンド・チャネル成分とは位相がずれている、請求項１５記載のオーディオ信号処理方法。
【請求項１７】  前記処理するステップはある数の出力指向性チャネルを生じ、出力指向性チャネルの数と指向性指定要素とは所定のパターンに従い前記検出するステップに応答する、請求項１１記載のオーディオ信号処理方法。
【請求項１８】  オーディオ信号処理方法であって、
前記オーディオ信号がアナログ信号であるかデジタル信号であるかを判断するステップと、
前記信号がアナログ信号であるという判断に応答して、前記信号を復号化して左チャネル、右チャネル、中央チャネル、左サラウンド・チャネル及び右サラウンド・チャネルを生じさせるステップと、
前記オーディオ信号がデジタル信号であるという判断に応答して、前記オーディオ信号の中の指向性入力チャネルの数と指向性指定要素とを検出するステップと、
前記指向性入力チャネルを処理して複数の出力指向性チャネルを生じるステップであって、出力指向性チャネルの数と指向性指定要素とは、所定のパターンに従いユーザが介入することなく前記検出するステップに応答する、ステップと、
を含むオーディオ信号処理方法。
【請求項１９】  前記選択可能なプロセスは前記指向性入力チャネルを他の指向性入力チャネルと組み合わせることを含むプロセスを含む、請求項１８記載のオーディオ信号処理方法。
【請求項２０】  前記プロセスは前記他の指向性入力チャネルを減衰させることを含む、請求項１９記載のオーディオ信号処理方法。
【請求項２１】  前記選択可能なプロセスは他の指向性入力チャネルを位相シフトしそれと組み合わせるプロセスを含む、請求項１８記載のオーディオ信号処理方法。
【請求項２２】  前記所定のパターンは、前記検出するステップがモノフォニック・サラウンド・チャネルと左チャネル信号と右チャネル信号とを検出するのに応答して、前記左チャネル信号を処理して修正された左チャネル信号を生じ前記右チャネル信号を処理して修正された右チャネル信号を生じることを含む選択可能なプロセスを含む、請求項１８記載のオーディオ信号処理方法。
【請求項２３】  前記修正された左チャネル信号と前記修正された右チャネル信号とはサラウンド・チャネル成分を含み、前記左チャネルのサラウンド・チャネル成分と前記右チャネルのサラウンド・チャネル成分とは位相がずれている、請求項２２記載のオーディオ信号処理方法。
【請求項２４】  前記処理するステップはある数の出力指向性チャネルを生じ、出力指向性チャネルの数と指向性指定要素とは所定のパターンに従い前記検出するステップに応答する、請求項１８記載のオーディオ信号処理方法。
【請求項２５】  １つ又は複数の指向性入力チャネルを有するオーディオ信号処理方法であって、
前記オーディオ信号におけるサラウンド・チャネルの数を検出するステップと、
複数の選択可能なプロセスの１つによって前記指向性入力チャネルを処理して２つのステレオ・サラウンド指向性チャネルを生じるステップであって、前記指向性入力チャネルに与えられる前記選択可能なプロセスは、所定のパターンに従いユーザが介入することなく前記検出するステップに応答する、ステップと、
を含むオーディオ信号処理方法。
【請求項２６】  サラウンド・チャネルの前記数はゼロである、請求項２５記載のオーディオ信号処理方法。
【請求項２７】  オーディオ信号処理方法であって、
前記オーディオ信号が広い部屋に対して等化されているかどうかを判断するステップと、
前記オーディオ信号が広い部屋に対して等化されているという判断に応答して、スレショルド周波数以下で予め選択されたゲインを与えるステップと、
前記オーディオ信号は広い部屋に対して等化されているかどうかがわからないとの判断に応答して、前記オーディオ信号がサラウンド符号化されているかどうかを判断するステップと、
前記オーディオ信号がサラウンド符号化されているとの判断に応答して、前記スレショルド周波数以下で予め選択されたゲインを与えるステップと、
前記オーディオ信号がサラウンド符号化されていないとの判断に応答して、前記スレショルド周波数以下で予め選択されたゲインを与えないステップと、
を含むオーディオ信号処理方法。
【請求項２８】  １つ又は複数の指向性入力チャネルを有するオーディオ信号処理装置であって、
前記指向性入力チャネルの数と指向性指定要素とを検出する入力特性決定器と、
前記指向性入力チャネルのそれぞれを処理するプロセッサであって、複数の選択可能なプロセスの１つによって前記オーディオ信号を処理するように設計及び構成されており、それぞれの指向性入力チャネルに与えられる選択可能なプロセスは、所定のパターンに従いユーザが介入することなく前記入力特性決定器に応答する、プロセッサと、
を備えたオーディオ信号処理装置。
【請求項２９】  前記プロセッサは、出力指向性チャネルの数を生じるように設計及び構成されており、出力指向性チャネルの数と指向性指定要素とは所定のパターンに従い前記入力特性決定器に応答する、請求項２８記載のオーディオ信号処理装置。
【請求項３０】  １つ又は複数の指向性入力チャネルを有するオーディオ信号処理装置であって、
前記指向性入力チャネルの数と指向性指定要素とを検出する入力特性決定器と、
前記指向性入力チャネルを処理するプロセッサであって、代替的に選択可能な数の出力指向性チャネルを生じるように設計及び構成されており、出力指向性チャネルの数と内容とは、所定のパターンに従いユーザが介入することなく前記入力特性決定器に応答する、プロセッサと、
を備えたオーディオ信号処理装置。
【請求項３１】  オーディオ信号処理装置であって、
前記オーディオ信号がアナログ信号であるのかデジタル信号であるのかを決定し、デジタル信号の数と指向性指定要素とを決定する入力特性決定器と、
前記入力特性決定器に応答して、前記アナログ信号を復号化して、左チャネル、右チャネル、中央チャネル、左サラウンド・チャネル及び右サラウンド・チャネルを生じる第１のプロセッサと、
前記入力特性決定器に応答して、複数の選択可能なプロセスの１つによって前記デジタル信号の前記指向性入力チャネルのそれぞれを処理する第２のプロセッサであって、それぞれの指向性入力チャネルに与えられる選択可能なプロセスは、所定のパターンに従いユーザが介入することなく前記入力特性決定器に応答する、第２のプロセッサと、
を備えたオーディオ信号処理装置。
【請求項３２】  前記プロセッサは代替的に選択可能な数の出力指向性チャネルを生じるように設計及び構成されており、出力指向性チャネルの数と指向性指定要素とは所定のパターンに従い前記検出するステップに応答する、請求項３１記載のオーディオ信号処理装置。
【請求項３３】  オーディオ信号処理装置であって、
前記オーディオ信号がアナログ信号であるかデジタル信号であるかを決定し、前記デジタル信号の中のチャネルの数と指向性指定要素とを決定する入力特性決定器と、
前記入力特性決定器に応答し、前記アナログ信号を復号化して左チャネル、右チャネル、中央チャネル、左サラウンド・チャネル及び右サラウンド・チャネルを生じる復号器と、
前記デジタル信号における前記指向性入力チャネルを処理して複数の出力指向性チャネルを生じるプロセッサであって、出力指向性チャネルの数と指向性指定要素とは、所定のパターンに従いユーザが介入することなく前記入力特性決定器に応答する、プロセッサと、
を備えたオーディオ信号処理装置。
【請求項３４】  前記プロセッサは代替的に選択可能な数の出力指向性チャネルを生じるように構成及び配置されており、出力指向性チャネルの数と指向性指定要素とは所定のパターンに従い前記検出するステップに応答する、請求項３３記載のオーディオ信号処理装置。